(57)【特許請求の範囲】
【請求項１】
ガラスモールド法により成形され、焦点検出のための結像レンズが形成されたレンズブロックと、該レンズブロックを位置決めして保持する装置本体と、前記結像レンズにより形成された光学像を電気信号に変換する受光素子とを有する焦点検出装置であって、
前記結像レンズの光軸が延びる方向を光軸方向とし、該光軸方向に直交し、かつ互いに直交する２つの方向を第１の方向および第２の方向とするとき、
前記レンズブロックは、
前記光軸方向を向いた面であって、該面上に前記結像レンズのレンズ面が形成されたレンズ基準面と、
該レンズ基準面の外周を囲むように形成された外周部と、
前記外周部に形成され、前記装置本体に前記第１の方向において当接することにより該レンズブロックの前記装置本体に対する該第１の方向での位置決めを行う第１の位置決め面と、
前記外周部に形成され、前記装置本体に前記第２の方向において当接することにより該レンズブロックの前記装置本体に対する該第２の方向での位置決めを行う第２の位置決め面と、
前記外周部のうち前記第１の位置決め面に対して前記第２の方向にて隣接する領域に、該第１の位置決め面および前記レンズ基準面よりも前記第１の方向に突出するように形成され、前記装置本体には当接しない第１の突出部と、
前記外周部よりも内側の領域であって、光軸方向視において前記外周部における前記第１の位置決め面と前記第１の突出部との境界に隣接する領域に、前記レンズ基準面よりも前記光軸方向に突出するように形成され、前記装置本体には当接しない第２の突出部とを有することを特徴とする焦点検出装置。
【請求項２】
前記レンズ基準面は、前記第１の方向に延びる短辺と、前記第２の方向に延びる長辺とする矩形形状を有し、
前記第１の突出部は、前記外周部における前記長辺に沿った領域に形成されていることを特徴とする請求項１に記載の焦点検出装置。
【請求項３】
前記第１の突出部は、前記外周部における前記短辺に沿った領域には形成されておらず、前記長辺に沿った領域に形成されていることを特徴とする請求項２に記載の焦点検出装置。
【請求項４】
前記外周部のうち前記第１の方向における前記第１の突出部とは反対側の領域に、前記レンズ基準面よりも前記第１の方向に突出するように形成され、前記装置本体には当接しない第３の突出部を有することを特徴とする請求項１から３のいずれか１項に記載の焦点検出装置。
【請求項５】
請求項１から４のいずれか１項に記載の焦点検出装置を有することを特徴とする光学機器。
【発明の詳細な説明】
【技術分野】
【０００１】
本発明は、ガラスブロックに形成された結像レンズを用いて光学系の焦点検出を行う焦点検出装置およびこれを備えた光学機器に関する。
【背景技術】
【０００２】
デジタルカメラ等の光学機器には、撮影光学系を通過した光の一部を再結像レンズに導き、該再結像レンズを通過した光により形成された一対の光学像の相対的な位置関係（位相差）から撮影光学系の焦点状態を検出する焦点検出装置が搭載されているものがある。このような焦点検出方式を、ＴＴＬ位相差検出方式という。
【０００３】
特許文献１には、結像レンズとして、ガラスモールド法により成形されたガラスレンズを用いた焦点検出装置が開示されている。一般に、ガラスレンズは、プラスチックレンズよりも線膨張係数が小さく、吸湿性も低い。このため、ガラスレンズを用いた焦点検出装置は、プラスチックレンズを用いた焦点検出装置に比べて、安定的に高精度を維持することができる。
【０００４】
また、特許文献２には、ガラスモールド法により成形されたレンズであって、これを位置決め保持するための形状を有するガラスレンズが開示されている。
【先行技術文献】
【特許文献】
【０００５】
【特許文献１】特開２００１−１７４６８２号公報
【特許文献２】特開２０１１−７８６０号公報
【発明の概要】
【発明が解決しようとする課題】
【０００６】
しかしながら、特許文献２にて開示されたガラスレンズでは、レンズの外形が回転対称な形状を有するにもかかわらず、焦点検出装置として使用するレンズ有効領域が該レンズの中心近傍の概ね矩形の領域である。このため、ガラスレンズに不要な部分が多く、装置の大型化につながる。
【０００７】
また、特許文献１にて開示された焦点検出装置では、ガラスレンズの矩形の外形をガラスモールド法で成形している。一般に、ガラスモールド法では、ガラスのブランク材に対してプレス成形により型の形状を転写するが、型内の全空間にガラスが充填されてしまうと、ガラスに過度の応力や割れが発生してしまう。このため、ガラスモールド法でブランク材をプレス成形する際には、ガラスが伸びて広がる方向や量を制御し、型内の全空間にガラスが充填されないようにする必要がある。
【０００８】
外形が円形であるレンズをガラスモールド法により成形する場合、プレス成形によってガラスはブランク材の中心に対して同心円状に伸びて広がるため、ガラスの伸びて広がる方向や量を制御しやすい。しかし、外形が矩形のレンズでは、プレス成形によりガラスが伸びて広がる方向や量を制御しにくい。
【０００９】
特許文献１にて開示されたガラスレンズでは、型の形状が転写されない部分が外形となり、外形に対して段差を有した内側の面が、型の形状が転写された位置決め面として利用される。このように、型の形状が転写されない部分を設けることにより、矩形のレンズのプレス成形において制御しにくいガラスの充填について冗長性を持たせることができる。
【００１０】
一方、焦点検出装置では、焦点検出範囲の広範囲化に伴って再結像レンズが大面積化するも、装置全体としての小型化、特に再結像レンズの薄型化が望まれている。上述したようなガラスモールド法により成形する矩形のレンズを大面積化する場合、プレス成形によりガラスが伸びて広がる量が多くなるため、その制御が困難になる。また、矩形レンズの縦横比（アスペクト比）が大きくなると、ガラスが伸びて広がる方向が制御しにくくなる。
【００１１】
矩形のレンズを薄型化する場合、特許文献１にて開示されているような構成を採ると、レンズの厚みの中で位置決め部（型の形状が転写される部分）と型の形状が転写されない部分とを確保するため、型の形状が転写されない部分も薄くせざるを得ない。これは、矩形のレンズのプレス成形において制御しにくいガラスの充填の冗長性を損なうことになる。
【００１２】
本発明は、ガラスモールド法により成形される矩形レンズの大面積化と薄型化とを可能にした焦点検出装置を提供する。
【課題を解決するための手段】
【００１３】
本発明の一側面としての焦点検出装置は、ガラスモールド法により成形され、焦点検出のための結像レンズが形成されたレンズブロックと、該レンズブロックを位置決めして保持する装置本体と、結像レンズにより形成された光学像を電気信号に変換する受光素子とを有する。結像レンズの光軸が延びる方向を光軸方向とし、該光軸方向に直交し、かつ互いに直交する２つの方向を第１の方向および第２の方向とするとき、レンズブロックは、光軸方向を向いた面であって、該面上に前記結像レンズのレンズ面が形成されたレンズ基準面と、該レンズ基準面の外周を囲むように形成された外周部と、該外周部に形成され、装置本体に第１の方向において当接することにより該レンズブロックの装置本体に対する該第１の方向での位置決めを行う第１の位置決め面と、該外周部に形成され、装置本体に第２の方向において当接することにより該レンズブロックの装置本体に対する該第２の方向での位置決めを行う第２の位置決め面と、該外周部のうち第１の位置決め面に対して第２の方向にて隣接する領域に、第１の位置決め面およびレンズ基準面よりも第１の方向に突出するように形成され、装置本体には当接しない第１の突出部とを有する。そして、レンズブロックは、該外周部よりも内側の領域であって、光軸方向視において外周部における第１の位置決め面と第１の突出部との境界に隣接する領域に、レンズ基準面よりも光軸方向に突出するように形成され、装置本体には当接しない第２の突出部を有することを特徴とする。
【発明の効果】
【００１４】
本発明によれば、ガラスモールド法で成形される矩形レンズの大面積化と薄型化とを実現でき、広い焦点検出範囲で良好な焦点検出精度を安定的に得ることができる。
【図面の簡単な説明】
【００１５】
【図１】本発明の実施例である焦点検出装置を内蔵した一眼レフカメラの断面図。
【図２】実施例の焦点検出装置の分解斜視図。
【図３】実施例の焦点検出装置における絞りを視野マスク側から見た図。
【図４】実施例の焦点検出装置における２次結像レンズユニットを入射面側および射出面側から見た図。
【図５】実施例の焦点検出装置における受光素子を視野マスク側から見た図。
【図６】実施例の焦点検出装置における受光素子列を視野マスク上に逆投影した図。
【図７】上記２次結像レンズユニットの外形形状を示す図。
【発明を実施するための形態】
【００１６】
以下、本発明の実施例について図面を参照しながら説明する。図１には、本発明の実施例である焦点検出装置を搭載した、レンズ交換が可能な一眼レフデジタルカメラ（光学機器）の構成を示している。
【００１７】
図１において、２００は一眼レフカメラ本体であり、２０１は撮影レンズ（撮影光学系）である。Ｌは撮影レンズ２０１の光軸である。撮影レンズ２０１の予定結像面又はその近傍には、光学ローパスフィルタや赤外カットフィルタ、さらには撮像素子を含む撮像素子ユニット２０４が配置されている。撮像素子は、ＣＣＤセンサやＣＭＯＳセンサ等により構成される光電変換素子である。
【００１８】
撮影レンズ２０１と撮像素子ユニット２０４の間には、クイックリターン機構によって撮影光路内の位置と撮影光束外の位置とに回動されるメインミラー２０２とサブミラー２０３が配置されている。メインミラー２０２はハーフミラーにより構成される。ファインダ観察時においては、撮影レンズ２０１からの光束は、撮影光路内に配置されたメインミラー２０２にて反射されてファインダ光学系に導かれる反射光と、メインミラー２０２を透過してサブミラー２０３に入射する透過光とに分離される。反射光は、ピント板２０５のマット面上に被写体像を形成する。該被写体像は、ペンタプリズム２０６および接眼レンズ群２０７を介して観察者の眼に導かれる。ピント板２０５で拡散した光の一部は、測光レンズ２２０を通過して測光センサ２２１に到達する。一方、透過光は、サブミラー２０３によって反射されて焦点検出装置２０８に導かれる。
【００１９】
図２には、焦点検出装置２０８を分解して示している。この焦点検出装置は、撮影レンズ２０１からの光（サブミラー２０３によって反射された光）を用いて、ＴＴＬ位相差検出方式により撮影レンズ２０１の焦点状態を検出する。
【００２０】
図２において、２１０は視野マスクであり、その中央部と左右部とに十字型の開口部２１０ａ，２１０ｂ，２１０ｃを有する。視野マスク２１０は、撮影レンズ２０１の予定結像面、つまりは撮像素子ユニット２０４の撮像面と等価な位置又はその近傍に配置される。
【００２１】
２１１はフィールドレンズであり、視野マスク２１０の後方に配置されている。フィールドレンズ２１１は、その中央部と左右部に配置されたレンズ部２１１ａ，２１１ｂ，２１１ｃにより構成されており、これらレンズ部２１１ａ，２１１ｂ，２１１ｃは互いに異なる光軸を有する。また、レンズ部２１１ａ，２１１ｂ，２１１ｃは、視野マスク２１０の開口部２１０ａ，２１０ｂ，２１０ｃにそれぞれ対応している。
【００２２】
２１２は複数の開口部を有する絞りであり、２１３は絞り２１２の複数の開口部に対応する複数の結像レンズ部を備える２次結像レンズユニットである。２次結像レンズユニット２１３の複数の結像レンズ部は、撮影レンズ２０１によって形成された予定結像面上の物体像を、２次結像レンズユニット２１３の後方に配置された焦点検出受光センサ２１５内に形成された複数の受光素子列上に再結像する。本実施例では、２次結像レンズユニット２１３は、ガラスモールド法で成形されたガラスレンズブロックである。２次結像レンズユニット２１３の形状や固定方法については、後述する。
【００２３】
なお、図示はしないが、絞り２１２の直前には、焦点検出に不要な赤外波長成分を除去する赤外カットフィルタが配置されている。
【００２４】
図３には、視野マスク側から見た絞り２１２を示している。図４の（Ａ）には、２次結像レンズユニット２１３の入射面側の面を、（Ｂ）には、２次結像レンズユニット２１３の射出面側の面を示している。さらに、図５には、視野マスク側から見た焦点検出受光センサ２１５を示している。
【００２５】
図３において、絞り２１２は、その中央部に二対の開口部２１２ａ−１，２１２ａ−２と、２１２ａ−３，２１２ａ−４とを有する。また、その右側には二対の開口部２１２ｂ−１，２１２ｂ−２と２１２ｂ−３，２１２ｂ−４とを有し、左側には二対の開口部２１２ｃ−１，２１２ｃ−２と２１２ｃ−３，２１２ｃ−４をそれぞれ有する。
【００２６】
図４の（Ａ）において、２次結像レンズユニット２１３の入射面側には、図３に示した複数の開口部２１２ａ−１〜２１２ｃ−４に対応する複数のプリズム部が形成されている。すなわち、２次結像レンズユニット２１３の入射面側の中央部には、二対のプリズム部２１３ａ−１，２１３ａ−２と２１３ａ−３，２１３ａ−４が形成されている。また、その右側には二対のプリズム部２１３ｂ−１，２１３ｂ−２と２１３ｂ−３，２１３ｂ−４が形成され、左側には二対のプリズム部２１３ｃ−１，２１３ｃ−２と２１３ｃ−３，２１３ｃ−４が形成されている。
【００２７】
図４の（Ｂ）において、２次結像レンズユニット２１３の射出面側には、図４（Ａ）に示した複数のプリズム部２１３ａ−１〜２１３ｃ−４にそれぞれ対応し、球面形状を有する結像レンズ部が形成されている。すなわち、２次結像レンズユニット２１３の射出面側の中央部には、二対の結像レンズ部２１４ａ−１，２１４ａ−２と２１４ａ−３，２１４ａ−４が形成されている。また、その右側には二対の結像レンズ部２１４ｂ−１，２１４ｂ−２と２１４ｂ−３，２１４ｂ−４が形成され、左側には二対の結像レンズ部２１４ｃ−１，２１４ｃ−２と２１４ｃ−３，２１４ｃ−４が形成されている。
【００２８】
図５において、焦点検出受光センサ２１５には、図４の（Ｂ）に示した複数の結像レンズ部２１４ａ−１，２１４ａ−２のそれぞれに対応する受光素子列が形成されている。すなわち、焦点検出受光センサ２１５の中央部には、二対の受光素子列２１５ａ−１，２１５ａ−２と２１５ａ−３，２１５ａ−４が形成されている。また、その右側には、二対の受光素子列２１５ｂ−１，２１５ｂ−２と２１５ｂ−３，２１５ｂ−４が形成され、左側には二対の受光素子列２１５ｃ−１，２１５ｃ−２と２１５ｃ−３，２１５ｃ−４が形成されている。
【００２９】
図３〜図５中に示した添え字ａ，ｂ，ｃが付された開口部、プリズム部、結像レンズ部および受光素子列はそれぞれ、視野マスク２１０の開口部２１０ａ，２１０ｂ，２１０ｃとフィールドレンズ２１１のレンズ部２１１ａ，２１１ｂ，２１１ｃに対応している。
【００３０】
例えば、視野マスク２１０の開口部２１０ｂを通過した光束は、フィールドレンズ２１１のレンズ部２１１ｂを通過し、さらに二対の絞り開口部２１２ｂ−１，２１２ｂ−２と２１２ｂ−３，２１２ｂ−４を通過することで、４つの光束に分離される。該４つの光束はそれぞれ、２次結像レンズユニット２１３の二対のプリズム部２１３ｂ−１，２１３ｂ−２と２１３ｂ−３，２１３ｂ−４に入射して、二対の結像レンズ部２１４ｂ−１，２１４ｂ−２と２１４ｂ−３，２１４ｂ−４から射出する。そして、焦点検出受光センサ２１５における二対の受光素子列２１５ｂ−１，２１５ｂ−２と２１５ｂ−３，２１５ｂ−４上に、視野マスク２１０の開口部２１０ｂに対応した４つの光学像を形成する。
【００３１】
図５の右側に点線で示す４つの十字２１６−１，２１６−２，２１６−３，２１６−４は上記４つの光学像を示している。光学像２１６−１，２１６−２が一対の光学像に相当し、光学像２１６−３，２１６−４が他の一対の光学像に相当する。
【００３２】
このような構成を有する焦点検出装置２０８において、撮影レンズ２０１の予定結像面に対するデフォーカスの度合いに応じて上記一対の光学像が互いに近づく方向や遠ざかる方向に移動する。例えば、一対の光学像２１６−１，２１６−２は上下方向に移動するため、図５に示すように一対の受光素子列２１５ｂ−１，２１５ｂ−２を上下方向に並べることによって、この移動を検出することができる。つまり、一対の光学像（光量分布）を一対の受光素子列２１５ｂ−１，２１５ｂ−２により一対の電気信号（像信号）に変換し、該一対の像信号のずれ量（位相差）を相関演算を用いて求める。そして、該位相差から撮影レンズ２０１の焦点状態（デフォーカス量）を算出することができる。
【００３３】
算出されたデフォーカス量から、撮影レンズ２０１に含まれるフォーカスレンズ（図示せず）の合焦位置までの移動量を算出することができ、該移動量だけフォーカスレンズを移動させることにより、合焦状態が得られる。なお、受光素子列２１５ｂ−３，２１５ｂ−４についても、受光素子列２１５ｂ−１，２１５ｂ−２の説明が左右方向に変わるのみであり、基本的な機能は同じである。
【００３４】
一対の受光素子列２１５ｂ−１，２１５ｂ−２は、上下方向に受光素子が並んでいるため、上下方向にコントラストを有する被写体に対する撮影レンズ２０１の焦点検出に適する。また、一対の受光素子列２１５ｂ−３，２１５ｂ−４は、左右方向に受光素子が並んでいるため、左右方向にコントラストを有する被写体に対する撮影レンズ２０１の焦点検出に適する。そして、両者を組み合わせると、被写体のコントラストの方向に左右されない、いわゆるクロス型の焦点検出を行える。
【００３５】
なお、上記説明は、添え字ｂが付された要素のものであるが、添え字ａ，ｃが付された要素についても同様である。
【００３６】
図６は、焦点検出受光センサ２１５の各受光素子列を視野マスク２１０上に逆投影した図である。なお、視野マスク２１０は撮影レンズ２０１の予定結像面又はその近傍に配置されるので、図６は予定結像面と考えても差し支えない。
【００３７】
図６において、視野マスク２１０よりもひと回り大きな点線で示す矩形の範囲は、撮影レンズ２０１による撮影範囲である。視野マスク２１０の３つの開口部２１０ａ，２１０ｂ，２１０ｃ内には、十字形状で示される受光素子列２１５ａ−１〜２１５ｃ−４の逆投影像２１８ａ，２１８ｂ，２１８ｃ，２１９ａ，２１９ｂ，２１９ｃが形成されている。なお、対をなす受光素子列の逆投影像は予定結像面上では一致するため、それらは重ねて示されている。
【００３８】
十字像である逆投影像２１８ａ，２１８ｂ，２１８ｃ，２１９ａ，２１９ｂ，２１９ｃは受光素子列を表すため、各十字像内において被写体の光量分布を検出することができる。すなわち、これら逆投影像が、いわゆるクロス型の焦点検出領域に相当する。
【００３９】
本実施例では、クロス型の焦点検出領域を、図６に示すように、撮影範囲２１７の中央部と周辺部（左右部）の２箇所とを含む３箇所に設けており、撮影範囲２１７の中央部と左右部において焦点検出を行うことができる。
【００４０】
実際の撮像装置に搭載される焦点検出装置では、焦点検出領域の数の増加（多点化）や、撮影範囲内での焦点検出領域の配置領域の拡大（広視野化）が求められている。多点化や広視野化は、例えば、図３〜図６にて同じ添え字ａ，ｂ，ｃを付した要素により構成される焦点検出光学系を介して焦点検出受光センサ２１５に到達する光束の太さを太くしたり、到達する光束を受光する受光素子列の数を増やしたりすることで実現できる。しかし、こうした方法で多点化や広視野化を実現すると、視野マスクの開口部の大きさが大きくなったり、焦点検出受光センサ上の受光素子列の数が増えたりするため、各焦点検出光学系の間隔を広げる必要がある。これは、２次結像レンズユニット２１３の大面積化につながる。
【００４１】
一方、実際の焦点検出装置には、撮像装置とともにより小型化が求められている。このため、２次結像レンズユニット２１３を光軸方向にて薄型化する必要がある。
【００４２】
このように、２次結像レンズユニット２１３には、大面積化と薄型化が求められるが、ガラスモールド法により成形されたガラスレンズの大面積化や薄型化には、上述した課題がある。また、ガラスモールド法により成形されたガラスレンズは、機械加工等により製作されるガラスレンズに対して、比較的複雑な形状を、型の形状を転写することで実現できる。しかし、プラスチックレンズで実現できるより複雑な形状、例えば位置決め用の穴やボスの形状をガラスモールド法で形成するのは困難である。ガラスモールド法により成形されたガラスレンズに対して、位置決め用の穴やボスの形状を追加の機械加工等により形成することは可能であるが、これらの位置精度を高くすることが難しい。
【００４３】
そこで、本実施例では、ガラスモールド法により成形される２次結像レンズユニット２１３の大面積化と薄型化を実現しつつ、これを精度良く位置決め保持できるようにするため、２次結像レンズユニット２１３の形状に、図７に示すような特徴を持たせる。
【００４４】
図７の（Ａ）には２次結像レンズユニット２１３のみを示し、同（Ｂ）には２次結像レンズユニット２１３とこれを位置決め保持する装置本体４００とを示している。装置本体４００は、図２に示す焦点検出装置２０８を構成する各部材を保持する樹脂製の部材である。図７において、結像レンズ部の光軸が延びる方向である光軸方向をＺ方向とする。また、Ｚ方向に直交し、かつ互いに直交する２つの方向、すなわち上下方向と左右方向をそれぞれ、Ｙ方向（第１の方向）およびＸ方向（第２の方向）とする。
【００４５】
２次結像レンズユニット２１３は、Ｚ方向を向いた面であって該面上に前述した複数の結像レンズ部のレンズ面が形成されたレンズ基準面３０６を有する。レンズ基準面３０６は、４つの角部が後述する肉盛り部によって切り欠かれた矩形形状を有する。また、２次結像レンズユニット２１３は、レンズ基準面３０６の外周（上下左右）を囲むように形成されたほぼ矩形につながる外周部を有する。
【００４６】
２次結像レンズユニット２１３のＸ方向での位置決めは、外周部のうち左右端面（第２の位置決め面）３０３Ｌ，３０３Ｒが装置本体４００の左右の内端面にＸ方向にて当接することで行われる。ただし、左右端面３０３Ｌ，３０３Ｒと装置本体４００の左右の内端面との間には微小な隙間が設けられている。
【００４７】
２次結像レンズユニット２１３のＹ方向での位置決めは、外周部のうち上面左右に設けられた上位置決め面（第１の位置決め面）３０１Ｌ，３０１Ｒが装置本体４００の上側の内端面にＹ方向（上方向）にて当接することで行われる。位置決め精度を高めるために、上位置決め面３０１Ｌ，３０１Ｒのうち少なくとも一部は、プレス成形時に型の形状が転写されている。
【００４８】
上駄肉部（第１の突出部）３０２および下駄肉部（第３の突出部）３０４はともに、ガラスモールド法によるプレス成形時に型の形状が転写されない部分であり、２次結像レンズユニット２１３の位置決めのために装置本体４００と当接することがない部分である。また、光学的には必要のない部分である。なお、上下駄肉部３０２，３０４と装置本体４００との間の隙間の大きさは、左右端面３０３Ｌ，３０３Ｒと装置本体４００の左右の内端面との間の隙間よりも大きい。
【００４９】
上駄肉部３０２は、２次結像レンズユニット２１３の外周部のうち上位置決め面３０１Ｌ，３０１Ｒの間、つまりは上位置決め面３０１Ｌ，３０１Ｒに対してＸ方向にて隣接する領域に形成されている。上駄肉部３０２は、上位置決め面３０１Ｌ，３０１Ｒおよびレンズ基準面３０６よりもＹ方向上側に突出するように形成されている。
【００５０】
本実施例では、上駄肉部３０２のレンズ基準面側の面（前面）がレンズ基準面３０６に対して光軸方向の段差を有するように形成されているが、上駄肉部３０２の前面とレンズ基準面３０６とが滑らかにつながっていてもよいし、同一面として形成されていてもよい。この場合、上位置決め面３０１Ｌ，３０１ＲをＸ方向に結んだラインよりもＹ方向下側の領域にレンズ基準面があり、該ラインよりもＹ方向上側の領域に上駄肉部（の前面）があると考えればよい。このことは、次に説明する下駄肉部３０４についても同様である。
【００５１】
また、下駄肉部３０４は、２次結像レンズユニット２１３の外周部のうち、Ｙ方向における上駄肉部３０２とは反対側の領域に形成されている。下駄肉部３０４は、レンズ基準面３０６よりもＹ方向下側に突出するように形成されている。
【００５２】
前述したように、ガラスモールド法では、型内の空間全体にガラスが充填されてしまうとガラスに応力が集中し、割れや欠けが発生する。このため、本実施例では、２次結像レンズユニット２１３の外周部のうちレンズ基準面３０６の長辺に沿った領域（以下、長辺部という）に上下駄肉部３０２，３０４を設けている。２次結像レンズユニット２１３の光学作用に不要なガラスが、上下駄肉部３０２，３０４を形成する。
【００５３】
また、２次結像レンズユニット２１３は、ガラスモールド法によりブランク材をプレス成形してその形状を作る。この際、ブランク材は、概ねブランク材の中心から同心円状に伸びて広がる。このため、矩形のガラスレンズを成形する際には、まずその長辺部の中央付近に伸びて広がったガラスが到達する。本実施例では、プレス時にガラスが伸びて広がりやすい長辺部に上下駄肉部３０２，３０４を設けているため、ガラスがレンズ基準面３０６の外周面のうち長辺に対応する面を形成する型の内面で行き詰まってそこで応力や割れが発生することを避けることができる。
【００５４】
一方、２次結像レンズユニット２１３の外周部のうちレンズ基準面３０６の短辺に沿った領域（以下、短辺部という）にはガラスが最後に到達するため、型の転写による形状の制御が行いやすい。本実施例では、長辺部の一部である上位置決め面３０１Ｌ，３０１Ｒと短辺部の一部である左右端面３０３Ｌ，３０３Ｒに型に形成された面の形状を転写し、短辺部と長辺部とが交わる四隅の部分にはガラスが充填されないように制御する。これにより、ガラスの応力集中や割れを防ぐことができる。
【００５５】
上位置決め面３０１Ｌ，３０１Ｒと上駄肉部３０２との境界（交線）３１０Ｌ，３１０ＲはＺ方向に延びている。そして、２次結像レンズユニット２１３には、外周部よりも内側（レンズ基準面側）の領域であって、Ｚ軸方向から見たとき（光軸方向視）にて境界３１０Ｌ，３１０Ｒに隣接する左右の領域に、肉盛り部（第２の突出部）３０５が設けられている。肉盛り部３０５は、レンズ基準面３０６よりもＺ方向に突出するように形成されている。肉盛り部３０５は、２次結像レンズユニット２１３の位置決めのために装置本体４００と当接することがない部分であり、また、光学的には必要のない部分である。
【００５６】
２次結像レンズユニット２１３では、Ｙ方向での位置決めに用いられる上位置決め面３０１Ｌ，３０１Ｒと、成形時の応力集中を回避するための上駄肉部３０２とが隣接している。このため、成形時には、境界３１０Ｌ，３１０Ｒの近傍で、（Ｂ）に矢印Ａで示すように上位置決め面３０１Ｌ，３０１Ｒを形成する型の内面に到着して上駄肉部３０２に流れる余剰ガラスが、矢印Ｂで示すようにブランク材の中心から同心円状に伸びて広がるガラスと交錯する。これにより、余剰ガラスが上駄肉部３０２に流れにくくなり、応力集中が発生しやすい状態となる。
【００５７】
このため本実施例では、境界３１０Ｌ，３１０Ｒに隣接する領域に、Ｚ方向に突出する肉盛り部３０５設けることにより、上駄肉部３０２に流れにくい余剰ガラスのＺ方向への逃げ領域を確保して、応力集中を回避している。
【００５８】
余剰ガラスの逃げ領域を確保するために、レンズ基準面３０６を含む２次結像レンズユニット２１３の全体の厚みを増加させると、２次結像レンズユニット２１３の薄型化を達成できないので、好ましくない。本実施例のように、応力集中が発生する箇所に限定して厚みを増加させる（肉盛り部３０５を設ける）ことにより、応力集中や割れの発生を回避しつつ、２次結像レンズユニット２１３の薄型化を達成できる。
【００５９】
以上説明したように、本実施例によれば、ガラスモールド法で成形される矩形の２次結像レンズユニット２１３の大面積化と薄型化とを実現できる。そして、この２次結像レンズユニット２１３を用いて焦点検出装置を構成することで、小型でありながらも、広い焦点検出範囲で良好な焦点検出精度を安定的に得ることが可能な焦点検出装置を実現することができる。
【００６０】
なお、本実施例では、２次結像レンズユニット２１３の短辺部には駄肉部を設けていない。これは、成形時にガラスが最後に到達する短辺部において駄肉となる余剰ガラスの量を制御することが難しいためである。また、駄肉部を設けないことで短辺部に形成された左右端面３０３Ｌ，３０３Ｒを位置決めや２次結像レンズユニット２１３の装置本体４００への接着のために用いることができるためでもある。ただし、短辺部に駄肉部を設けてもよい。
【００６１】
本実施例では、焦点検出装置を撮像装置の１つである一眼レフデジタルカメラに搭載した場合について説明したが、焦点検出装置を撮像装置の１つであるビデオカメラや撮像装置に対して着脱が可能な交換レンズ等の他の光学機器に搭載してもよい。
【００６２】
以上説明した各実施例は代表的な例にすぎず、本発明の実施に際しては、各実施例に対して種々の変形や変更が可能である。
【産業上の利用可能性】
【００６３】
小型で、広い焦点検出範囲で良好な焦点検出精度を得られる焦点検出装置および光学機器を提供できる。
【符号の説明】
【００６４】
２０８  焦点検出装置
２１３  ２次結像レンズユニット
３０１Ｌ，３０１Ｒ  上位置決め面
３０２  上駄肉部
３０４  下駄肉部
３０５Ｌ，３０５Ｒ  肉盛り部
３０６  レンズ基準面
４００  装置本体
【図５】
0005725958.tif 000002
【図１】
0005725958.tif 000003
【図２】
0005725958.tif 000004
【図３】
0005725958.tif 000005
【図４】
0005725958.tif 000006
【図６】
0005725958.tif 000007
【図７】
0005725958.tif 000008